(57)【要約】【課題】効率的に監視対象エリアの詳細な状況を把握することのできる管理装置、管理システム、管理方法および管理プログラムを提供する。【解決手段】管理装置は、第１のセンサによる検知結果を示す検知情報を取得する取得部と、前記取得部により取得された前記検知情報に基づいて、第２のセンサの検知範囲を変更可能な駆動部を制御することにより前記検知範囲を変更する制御部とを備える。【選択図】図２
2018026621.tif 000002
【特許請求の範囲】
【請求項１】
第１のセンサによる検知結果を示す検知情報を取得する取得部と、
前記取得部により取得された前記検知情報に基づいて、第２のセンサの検知範囲を変更可能な駆動部を制御することにより前記検知範囲を変更する制御部とを備える、管理装置。
【請求項２】
前記第１のセンサと前記第２のセンサとは異なる種類のセンサである、請求項１に記載の管理装置。
【請求項３】
前記第１のセンサは複数存在し、
前記制御部は、前記検知情報の送信元の前記第１のセンサに対応する範囲に前記検知範囲を変更する、請求項１または請求項２に記載の管理装置。
【請求項４】
前記取得部は、無線伝送路を介して前記検知情報を取得する、請求項１から請求項３のいずれか１項に記載の管理装置。
【請求項５】
前記取得部の取得する前記検知情報は、前記第１のセンサの検知結果が所定条件を満たす場合に前記第１のセンサから送信される、請求項１から請求項４のいずれか１項に記載の管理装置。
【請求項６】
前記制御部は、前記取得部により取得された前記検知情報に基づいて、他の機器の動作をさらに制御することにより前記検知範囲を変更する、請求項１から請求項５のいずれか１項に記載の管理装置。
【請求項７】
前記第２のセンサはカメラである、請求項１から請求項６のいずれか１項に記載の管理装置。
【請求項８】
第１のセンサと、
第２のセンサと、
前記第１のセンサによる検知結果を示す検知情報を取得し、取得した前記検知情報に基づいて、前記第２のセンサの検知範囲を変更可能な駆動部を制御することにより前記検知範囲を変更する管理装置とを備える、管理システム。
【請求項９】
管理装置における管理方法であって、
第１のセンサによる検知結果を示す検知情報を取得するステップと、
取得した前記検知情報に基づいて、第２のセンサの検知範囲を変更可能な駆動部を制御することにより前記検知範囲を変更するステップとを含む、管理方法。
【請求項１０】
管理装置において用いられる管理プログラムであって、
コンピュータを、
第１のセンサによる検知結果を示す検知情報を取得する取得部と、
前記取得部により取得された前記検知情報に基づいて、第２のセンサの検知範囲を変更可能な駆動部を制御することにより前記検知範囲を変更する制御部と、
として機能させるための、管理プログラム。
【発明の詳細な説明】
【技術分野】
【０００１】
本発明は、管理装置、管理システム、管理方法および管理プログラムに関する。
【背景技術】
【０００２】
従来、監視対象エリアに設けられたセンサの管理に関する技術が開発されている。たとえば、特開２０１５−２２０７５８号公報（特許文献１）には、以下のようなセンサベース検出システムが記載されている。すなわち、センサベース検出システムおいて用いられる方法は、ある時間間隔でデータストリームを受信する工程であって、該データストリームはセンサと関連している、受信工程と、前記時間間隔での前記データストリームが、警報を発動するための一定基準を満たすかどうかを判定する工程と、前記データストリームが前記一定基準を満たすことの判定に応答して、前記警報を送信する工程と、前記センサの前記データストリームと関連している情報をグラフィカルユーザインタフェース上に表示する工程とを含む。
【先行技術文献】
【特許文献】
【０００３】
【特許文献１】特開２０１５−２２０７５８号公報
【発明の概要】
【発明が解決しようとする課題】
【０００４】
上述した特許文献１に記載のシステムのように、センサの検知結果に関連する画像またはビデオ映像などを撮像して表示することにより、監視対象エリアの詳細な状況を把握することができる。
【０００５】
しかしながら、このようなシステムでは、センサの検知範囲を撮影できるようにカメラを設置する必要がある。このため、設置した１つのカメラではセンサの検知範囲の全体を撮影することができない場合、たとえば複数のカメラを設置する必要があり、設置コストが増大することが考えられる。
【０００６】
この発明は、上述の課題を解決するためになされたもので、その目的は、効率的に監視対象エリアの詳細な状況を把握することのできる管理装置、管理システム、管理方法および管理プログラムを提供することである。
【課題を解決するための手段】
【０００７】
（１）上記課題を解決するために、この発明のある局面に係わる管理装置は、第１のセンサによる検知結果を示す検知情報を取得する取得部と、前記取得部により取得された前記検知情報に基づいて、第２のセンサの検知範囲を変更可能な駆動部を制御することにより前記検知範囲を変更する制御部とを備える。
【０００８】
（８）上記課題を解決するために、この発明のある局面に係わる管理システムは、第１のセンサと、第２のセンサと、前記第１のセンサによる検知結果を示す検知情報を取得し、取得した前記検知情報に基づいて、前記第２のセンサの検知範囲を変更可能な駆動部を制御することにより前記検知範囲を変更する管理装置とを備える。
【０００９】
（９）上記課題を解決するために、この発明のある局面に係わる管理方法は、管理装置における管理方法であって、第１のセンサによる検知結果を示す検知情報を取得するステップと、取得した前記検知情報に基づいて、第２のセンサの検知範囲を変更可能な駆動部を制御することにより前記検知範囲を変更するステップとを含む。
【００１０】
（１０）上記課題を解決するために、この発明のある局面に係わる管理プログラムは、管理装置において用いられる管理プログラムであって、コンピュータを、第１のセンサによる検知結果を示す検知情報を取得する取得部と、前記取得部により取得された前記検知情報に基づいて、第２のセンサの検知範囲を変更可能な駆動部を制御することにより前記検知範囲を変更する制御部と、として機能させるためのプログラムである。
【００１１】
本発明は、管理装置の一部または全部を実現する半導体集積回路として実現することができる。
【００１２】
また、本発明は、このような特徴的な処理部を備える管理システムとして実現することができるだけでなく、かかる特徴的な処理をステップとする管理方法として実現したり、かかるステップをコンピュータに実行させるためのプログラムとして実現したりすることができる。
【発明の効果】
【００１３】
本発明によれば、効率的に監視対象エリアの詳細な状況を把握することができる。
【図面の簡単な説明】
【００１４】
【図１】図１は、本発明の実施の形態に係る管理システムの構成を示す図である。
【図２】図２は、本発明の実施の形態に係る管理装置の構成を示す図である。
【図３】図３は、本発明の実施の形態に係る管理システムの動作手順を定めたシーケンスを示す図である。
【発明を実施するための形態】
【００１５】
最初に、本発明の実施形態の内容を列記して説明する。
【００１６】
（１）本発明の実施の形態に係る管理装置は、第１のセンサによる検知結果を示す検知情報を取得する取得部と、前記取得部により取得された前記検知情報に基づいて、第２のセンサの検知範囲を変更可能な駆動部を制御することにより前記検知範囲を変更する制御部とを備える。
【００１７】
このような構成により、たとえば、複数の第２のセンサを用いることなく、第１のセンサの検知範囲を１つの第２のセンサで検知することができるため、効率的に監視対象エリアの詳細な状況を把握することができる。
【００１８】
（２）好ましくは、前記第１のセンサと前記第２のセンサとは異なる種類のセンサである。
【００１９】
このような構成により、第１のセンサから得ることのできない情報を第２のセンサから得ることが可能であるため、監視対象エリアのより詳細な状況を把握することができる。
【００２０】
（３）好ましくは、前記第１のセンサは複数存在し、前記制御部は、前記検知情報の送信元の前記第１のセンサに対応する範囲に前記検知範囲を変更する。
【００２１】
このような構成により、検知範囲が互いに異なる複数の第１のセンサが監視対象エリアに設けられている場合であっても、当該監視対象エリアのうちの適切な範囲を第２のセンサの検知範囲とすることができる。
【００２２】
また、検知範囲が互いに異なる複数の第１のセンサが監視対象エリアに設けられている場合であっても、各第１のセンサの検知範囲を、たとえば１つの第２のセンサで検知することが可能であるため、設置コストを抑えることができる。また、たとえば監視対象エリアに複数の第２のセンサを設ける場合であっても、第２のセンサを第１のセンサの数ほど設ける必要がない。
【００２３】
（４）好ましくは、前記取得部は、無線伝送路を介して前記検知情報を取得する。
【００２４】
このような構成により、多数の第１のセンサを容易に設置することができる。
【００２５】
（５）好ましくは、前記取得部の取得する前記検知情報は、前記第１のセンサの検知結果が所定条件を満たす場合に前記第１のセンサから送信される。
【００２６】
このような構成により、第１のセンサから管理装置へ送信される情報の量を減らすことができる。また、第１のセンサから管理装置へ送信される情報の量を減らすことができるため、第１のセンサと管理装置との間で無線通信が行われる場合に、このような構成が特に有効である。
【００２７】
（６）好ましくは、前記制御部は、前記取得部により取得された前記検知情報に基づいて、他の機器の動作をさらに制御することにより前記検知範囲を変更する。
【００２８】
このような構成により、他の機器を駆動して第２のセンサの検知範囲を広げるなど、第１のセンサの検知結果に応じた適切な範囲を第２のセンサの検知範囲に設定し、監視対象エリアのより詳細な状況を把握することができる。
【００２９】
（７）好ましくは、前記第２のセンサはカメラである。
【００３０】
このような構成により、監視対象エリアの詳細な状況を視覚的に把握することができる。
【００３１】
（８）本発明の実施の形態に係る管理システムは、第１のセンサと、第２のセンサと、前記第１のセンサによる検知結果を示す検知情報を取得し、取得した前記検知情報に基づいて、前記第２のセンサの検知範囲を変更可能な駆動部を制御することにより前記検知範囲を変更する管理装置とを備える。
【００３２】
このような構成により、たとえば、複数の第２のセンサを用いることなく、第１のセンサの検知範囲を１つの第２のセンサで検知することができるため、効率的に監視対象エリアの詳細な状況を把握することができる。
【００３３】
（９）本発明の実施の形態に係る管理方法は、管理装置における管理方法であって、第１のセンサによる検知結果を示す検知情報を取得するステップと、取得した前記検知情報に基づいて、第２のセンサの検知範囲を変更可能な駆動部を制御することにより前記検知範囲を変更するステップとを含む。
【００３４】
このような方法により、たとえば、複数の第２のセンサを用いることなく、第１のセンサの検知範囲を１つの第２のセンサで検知することができるため、効率的に監視対象エリアの詳細な状況を把握することができる。
【００３５】
（１０）本発明の実施の形態に係る管理プログラムは、管理装置において用いられる管理プログラムであって、コンピュータを、第１のセンサによる検知結果を示す検知情報を取得する取得部と、前記取得部により取得された前記検知情報に基づいて、第２のセンサの検知範囲を変更可能な駆動部を制御することにより前記検知範囲を変更する制御部と、として機能させるためのプログラムである。
【００３６】
このような構成により、たとえば、複数の第２のセンサを用いることなく、第１のセンサの検知範囲を１つの第２のセンサで検知することができるため、効率的に監視対象エリアの詳細な状況を把握することができる。
【００３７】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３８】
＜構成および基本動作＞
［管理システム］
図１は、本発明の実施の形態に係る管理システムの構成を示す図である。
【００３９】
図１を参照して、管理システム２０１は、管理装置１０１と、受信機１０２と、１または複数の第１のセンサ１２１と、第２のセンサ１２２とを備える。
【００４０】
受信機１０２、第１のセンサ１２１および第２のセンサ１２２は、監視対象エリアに設けられる。
【００４１】
第１のセンサ１２１は、工場またはオフィス等の監視対象エリアに関する検知動作を行う。そして、第１のセンサ１２１は、たとえば、監視対象エリアにおける異常を検知した場合、検知結果および自己のＩＤ（Ｉｄｅｎｔｉｆｉｃａｔｉｏｎ）を示す検知情報を、無線伝送路を介して受信機１０２へ送信する。
【００４２】
たとえば、第１のセンサ１２１は、検知結果が所定条件を満たす場合、監視対象エリアにおける異常を検知した旨の検知情報を受信機１０２へ送信する。
【００４３】
具体的には、第１のセンサ１２１は、たとえば、比較的安価な電池式の温度センサ、ドア開閉センサまたは煙センサである。
【００４４】
温度センサ１２１は、たとえば、監視対象エリアの温度の検知動作を行い、所定値以上の温度を検知した場合、検知した温度および自己のＩＤを示す検知情報を受信機１０２へ送信する。
【００４５】
ドア開閉センサ１２１は、たとえば、監視対象エリアに設けられたドアの開閉の検知動作を行う。この例では、当該ドアは、通常閉じているとする。そして、ドア開閉センサ１２１は、たとえば、当該ドアが開いたことを検知した場合、当該ドアが開いた旨および自己のＩＤを示す検知情報を受信機１０２へ送信する。
【００４６】
煙センサ１２１は、監視対象エリアにおける煙の検知動作を行い、煙を検知した場合、煙が発生した旨および自己のＩＤを示す検知情報を受信機１０２へ送信する。
【００４７】
なお、第１のセンサ１２１は、異常を検知した場合に限らず、監視対象エリアに関する検知動作を行う度に検知情報を受信機１０２へ送信する構成であってもよい。また、第１のセンサ１２１は、たとえば有線通信によって検知情報を受信機１０２へ送信する構成であってもよい。
【００４８】
また、図１に示す管理システム２０１は、異なる種類の３つの第１のセンサ１２１を備えているが、管理システム２０１は、同じ種類の複数の第１のセンサ１２１を備えてもよい。
【００４９】
受信機１０２は、第１のセンサ１２１から検知情報を受信すると、受信した検知情報をネットワーク１３１経由で管理装置１０１へ送信する。
【００５０】
管理装置１０１は、受信機１０２から検知情報を受信すると、受信した検知情報に基づいて、たとえば、異常の発生したエリアに関する詳細な情報が得られるように、第２のセンサ１２２の検知範囲すなわち検知エリアを変更する。
【００５１】
第２のセンサ１２２は、第１のセンサ１２１とは異なる種類のセンサであり、監視対象エリアに関する検知動作を行う。第２のセンサ１２２は、たとえば内部に駆動部１０を有し、駆動部１０により自己の検知範囲が変更される。なお、駆動部１０は、第２のセンサ１２２と別体であってもよい。
【００５２】
具体的には、第２のセンサ１２２は、たとえば、ＰＴＺ（パン・チルト・ズーム）カメラであり、駆動部１０として内蔵されたモータの駆動等によって撮影方向の変更および画角の変更を行う。
【００５３】
たとえば、管理装置１０１は、第１のセンサ１２１から受信した検知情報に基づいて、ＰＴＺカメラ１２２の駆動部１０をネットワーク１３１経由で制御することにより、ＰＴＺカメラ１２２の検知範囲を変更する。すなわち、管理装置１０１は、駆動部１０を制御することにより、ＰＴＺカメラ１２２の撮影方向および画角を変更する。
【００５４】
なお、第２のセンサ１２２は、他の装置からの制御により検知範囲を変更可能なセンサであれば、ＰＴＺカメラに限られない。第２のセンサ１２２は、カメラスライダーに取り付けられたカメラ、ドローン、可動部を備えた温度センサ、可動部を備えた煙センサ、または可動部を備えた振動センサなどであってもよい。
【００５５】
また、管理システム２０１は、複数の第２のセンサ１２２を備えてもよい。
【００５６】
［管理装置］
図２は、本発明の実施の形態に係る管理装置の構成を示す図である。
【００５７】
管理装置１０１は、受信部（取得部）１１と、制御部１２と、記憶部１３とを備える。
【００５８】
受信部１１は、第１のセンサ１２１から検知情報を受信し、受信した検知情報を制御部１２へ出力する。
【００５９】
記憶部１３には、たとえば、監視対象エリアに設けられた各第１のセンサ１２１に第２のセンサ１２２の検知範囲が対応づけられた対応関係テーブルが記憶されている。なお、各第１のセンサ１２１に対応する検知範囲は、ユーザが任意に設定可能である。
【００６０】
なお、対応関係テーブルでは、同一の第１のセンサ１２１であっても、検知結果に応じた異なる検知範囲が対応づけられてもよい。
【００６１】
制御部１２は、受信部１１から検知情報を受けると、当該検知情報の示すＩＤを確認することにより、当該検知情報の送信元である第１のセンサ１２１を特定する。
【００６２】
そして、制御部１２は、記憶部１３に記憶されている対応関係テーブルを参照して、たとえば、特定した第１のセンサ１２１に対応する検知範囲を第２のセンサ１２２の検知範囲として決定する。
【００６３】
そして、制御部１２は、第２のセンサ１２２の検知範囲が決定した範囲となるように、たとえば、駆動部１０に対する制御内容を示す制御情報を作成し、作成した制御情報をネットワーク１３１経由で駆動部１０へ送信する。
【００６４】
駆動部１０は、管理装置１０１における制御部１２から制御情報を受信すると、受信した制御情報に従って動作することにより、第２のセンサ１２２の検知範囲を変更する。
【００６５】
第２のセンサ１２２は、駆動部１０による変更後の検知範囲において検知動作を行い、検知結果をたとえば自己の記憶部に保存する。
【００６６】
（具体例１）
たとえば、監視対象エリアにおいて火災が発生したことにより、温度センサ１２１が所定値以上の温度を検知したとする。また、第２のセンサ１２２がＰＴＺカメラであるとする。
【００６７】
この場合、温度センサ１２１は、検知した温度および自己のＩＤを示す検知情報を管理装置１０１へ送信する。
【００６８】
管理装置１０１における制御部１２は、検知情報を受信部１１経由で受信し、受信した検知情報に含まれるＩＤを確認することにより、当該検知情報の送信元を温度センサ１２１と特定する。そして、制御部１２は、たとえば、記憶部１３に記憶されている対応関係テーブルを参照して、温度センサ１２１の設置場所を含む所定範囲Ｅ１をＰＴＺカメラ１２２の検知範囲として決定する。
【００６９】
そして、制御部１２は、第２のセンサ１２２の検知範囲が決定した範囲となるように、たとえば、ＰＴＺカメラ１２２の撮影方向および画角を示す制御情報を作成し、作成した制御情報を駆動部１０へ送信する。そして、駆動部１０は、管理装置１０１から制御情報を受信し、受信した制御情報に従ってＰＴＺカメラ１２２の撮影方向および画角を変更する。
【００７０】
これにより、ＰＴＺカメラ１２２は、検知動作として、たとえば、画角を狭くして、所定範囲Ｅ１の拡大画像を撮影する。なお、ＰＴＺカメラ１２２は、静止画を撮影してもよいし、動画を撮影してもよい。
【００７１】
このようにしてＰＴＺカメラ１２２により撮影された撮影画像には、所定範囲Ｅ１における火、煙または燃えている物等が写り、管理者は、当該撮影画像を確認することで監視対象エリアの詳細な状況を視覚的に把握することができる。
【００７２】
（具体例２）
たとえば、監視対象エリア内へ人が侵入したことにより、ドア開閉センサ１２１が、ドアが開いたことを検知したとする。また、第２のセンサ１２２がＰＴＺカメラであるとする。
【００７３】
この場合、ドア開閉センサ１２１は、ドアが開いた旨および自己のＩＤを示す検知情報を管理装置１０１へ送信する。
【００７４】
管理装置１０１における制御部１２は、検知情報を受信部１１経由で受信し、受信した検知情報に含まれるＩＤを確認することにより、当該検知情報の送信元をドア開閉センサ１２１と特定する。そして、制御部１２は、たとえば、記憶部１３に記憶されている対応関係テーブルを参照して、ドア開閉センサ１２１の検知対象であるドアの設置場所を含む所定範囲Ｅ２をＰＴＺカメラ１２２の検知範囲として決定する。
【００７５】
そして、制御部１２は、第２のセンサ１２２の検知範囲が決定した範囲となるように、たとえば、ＰＴＺカメラ１２２の撮影方向および画角を示す制御情報を作成し、作成した制御情報を駆動部１０へ送信する。そして、駆動部１０は、管理装置１０１から制御情報を受信し、受信した制御情報に従ってＰＴＺカメラ１２２の撮影方向および画角を変更する。
【００７６】
これにより、ＰＴＺカメラ１２２は、検知動作として、たとえば、画角を狭くして、所定範囲Ｅ２の拡大画像を撮影する。
【００７７】
このようにしてＰＴＺカメラ１２２により撮影された撮影画像には、所定範囲Ｅ２に存在する侵入者等が写り、管理者は、当該撮影画像を確認することで監視対象エリアの詳細な状況を視覚的に把握することができる。
【００７８】
＜動作＞
次に、本発明の実施の形態に係る管理システム２０１の動作について説明する。
【００７９】
管理システム２０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００８０】
図３は、本発明の実施の形態に係る管理システムの動作手順を定めたシーケンスを示す図である。
【００８１】
ここでは、第２のセンサ１２２が駆動部１０を含むとする。
【００８２】
図３を参照して、まず、第１のセンサ１２１は、監視対象エリアに関する検知動作を行う（ステップＳ１１）。
【００８３】
次に、第１のセンサ１２１は、たとえば、検知結果が所定条件を満たさない場合、すなわち監視対象エリアにおける異常を検知しなかった場合（ステップＳ１２において「ＮＯ」）、検知情報の送信を行わずに、監視対象エリアに関する検知動作を再び行う。
【００８４】
一方、第１のセンサ１２１は、たとえば、検知結果が所定条件を満たす場合、すなわち監視対象エリアにおける異常を検知した場合（ステップＳ１２において「ＹＥＳ」）、当該検知結果および自己のＩＤを示す検知情報を管理装置１０１へ送信する（ステップＳ１３）。なお、第１のセンサ１２１は、検知情報を送信した後も、監視対象エリアに関する検知動作を再び行う。
【００８５】
次に、管理装置１０１は、第１のセンサ１２１から検知情報を受信すると、受信した検知情報に含まれるＩＤを確認することにより、当該検知情報の送信元を特定する（ステップＳ１４）。
【００８６】
次に、管理装置１０１は、たとえば、特定した送信元である第１のセンサ１２１に対応づけられた検知範囲を、第２のセンサ１２２の検知範囲として決定する（ステップＳ１５）。
【００８７】
次に、管理装置１０１は、決定した検知範囲が第２のセンサ１２２により検知されるように、駆動部１０に対する制御内容を示す制御情報を作成し（ステップＳ１６）、作成した制御情報を第２のセンサ１２２における駆動部１０へ送信する（ステップＳ１７）。
【００８８】
次に、第２のセンサ１２２における駆動部１０は、管理装置１０１から制御情報を受信すると、受信した制御情報に従って第２のセンサ１２２の検知範囲を変更する（ステップＳ１８）。
【００８９】
次に、第２のセンサ１２２は、駆動部１０により変更された後の検知範囲の検知動作を行い（ステップＳ１９）、検知結果をたとえば自己の記憶部に保存する。
【００９０】
＜変形例１＞
管理装置１０１における制御部１２は、第１のセンサ１２１からの検知情報に基づいて、他の機器の動作をさらに制御することにより、第２のセンサ１２２の検知範囲を変更してもよい。
【００９１】
たとえば、ドア開閉センサ１２１が、ドアが開いたことを検知し、当該ドアが開いた旨および自己のＩＤを示す検知情報を管理装置１０１へ送信したとする。また、当該ドアは、たとえば開閉制御装置により開閉が制御可能であるとする。
【００９２】
この場合、制御部１２は、第１のセンサ１２１から受信部１１経由で検知情報を受信すると、受信した検知情報に含まれるＩＤを確認することにより、当該検知情報の送信元をドア開閉センサ１２１と特定する。そして、制御部１２は、たとえば、記憶部１３に記憶されている対応関係テーブルを参照して、ドア開閉センサ１２１の設置場所を含む所定範囲Ｅ２を第２のセンサ１２２の検知範囲として決定する。
【００９３】
そして、制御部１２は、たとえば、駆動部１０に対する制御内容を示す制御情報を作成し、作成した制御情報を駆動部１０へ送信する。
【００９４】
また、制御部１２は、たとえば、当該ドアの開閉制御装置へ、当該ドアが開いた状態を維持するように指示する。
【００９５】
開閉制御装置は、管理装置１０１からの指示を受けると、当該指示に従って当該ドアが開いた状態を維持するように制御する。
【００９６】
また、駆動部１０は、管理装置１０１から制御情報を受信すると、受信した制御情報に従って第２のセンサ１２２の検知範囲を変更する。
【００９７】
これにより、第２のセンサ１２２は、たとえば、監視対象エリア内である所定範囲Ｅ２に加えて、さらに当該ドアの向こう側である監視対象エリア外を検知することができる。
【００９８】
具体的には、第２のセンサ１２２がＰＴＺカメラであるとすると、ＰＴＺカメラ１２２による撮影画像には、たとえば、当該ドア付近の監視対象エリア内および監視対象エリア外の状況が写る。
【００９９】
なお、制御部１２は、ドア開閉センサ１２１からの検知結果に基づいて、当該ドア開閉センサ１２１の検知対象であるドア以外のドアの開閉を制御してもよい。
【０１００】
また、制御部１２は、ドア開閉センサ１２１に限らず他の第１のセンサ１２１からの検知情報に基づいて、監視対象エリアに設けられたドア、照明もしくはアラームなどの特定の機器、または、監視対象エリアの出入り口に設けられたゲートなどの機器を制御してもよい。
【０１０１】
＜変形例２＞
管理装置１０１は、第１のセンサ１２１からの検知情報の示す検知結果に応じて、第２のセンサ１２２の検知範囲を異なる範囲に決定してもよい。
【０１０２】
具体的には、ドア開閉センサ１２１が、ドアが開いたことを検知し、当該ドアが開いた旨および自己のＩＤを示す検知情報を管理装置１０１へ送信したとする。この場合、管理装置１０１における制御部１２は、たとえば、記憶部１３に記憶されている対応関係テーブルを参照して、当該ドアの設置場所を含む所定範囲Ｅ２を第２のセンサ１２２の検知範囲として決定する。
【０１０３】
また、ドア開閉センサ１２１が、ドアが閉じたことを検知し、当該ドアが閉じた旨および自己のＩＤを示す検知情報を管理装置１０１へ送信したとする。この場合、管理装置１０１における制御部１２は、たとえば、記憶部１３に記憶されている対応関係テーブルを参照して、監視対象エリア内の所定範囲Ｅ３を第２のセンサ１２２の検知範囲として決定する。なお、所定範囲Ｅ３は、所定範囲Ｅ２と異なるエリアであって、たとえば、重要な保護対象が存在するエリアである。
【０１０４】
ところで、上述した特許文献１に記載のシステムのように、センサの検知結果に関連する画像またはビデオ映像などを撮像して表示することにより、監視対象エリアの詳細な状況を把握することができる。
【０１０５】
しかしながら、このようなシステムでは、センサの検知範囲を撮影できるようにカメラを設置する必要がある。このため、設置した１つのカメラではセンサの検知範囲の全体を撮影することができない場合、たとえば複数のカメラを設置する必要があり、設置コストが増大することが考えられる。
【０１０６】
これに対して、本発明の実施の形態に係る管理装置１０１では、受信部１１は、第１のセンサ１２１による検知結果を示す検知情報を受信する。また、制御部１２は、受信部１１により受信された検知情報に基づいて、第２のセンサ１２２の検知範囲を変更可能な駆動部１０を制御することにより、第２のセンサ１２２の検知範囲を変更する。
【０１０７】
このような構成により、たとえば、複数の第２のセンサ１２２を用いることなく、第１のセンサ１２１の検知範囲を１つの第２のセンサ１２２で検知することができるため、効率的に監視対象エリアの詳細な状況を把握することができる。
【０１０８】
また、本発明の実施の形態に係る管理システム２０１では、第１のセンサ１２１と第２のセンサ１２２とは異なる種類のセンサである。
【０１０９】
このような構成により、第１のセンサ１２１から得ることのできない情報を第２のセンサ１２２から得ることが可能であるため、監視対象エリアのより詳細な状況を把握することができる。
【０１１０】
また、本発明の実施の形態に係る管理システム２０１では、第１のセンサ１２１は複数存在する。また、管理装置１０１では、制御部１２は、検知情報の送信元の第１のセンサ１２１に対応する範囲に、第２のセンサ１２２の検知範囲を変更する。
【０１１１】
このような構成により、検知範囲が互いに異なる複数の第１のセンサ１２１が監視対象エリアに設けられている場合であっても、当該監視対象エリアのうちの適切な範囲を第２のセンサ１２２の検知範囲とすることができる。
【０１１２】
また、検知範囲が互いに異なる複数の第１のセンサ１２１が監視対象エリアに設けられている場合であっても、各第１のセンサ１２１の検知範囲を、たとえば１つの第２のセンサ１２２で検知することが可能であるため、設置コストを抑えることができる。また、たとえば監視対象エリアに複数の第２のセンサ１２２を設ける場合であっても、第２のセンサ１２２を第１のセンサ１２１の数ほど設ける必要がない。
【０１１３】
また、本発明の実施の形態に係る管理装置１０１では、受信部１１は、無線伝送路を介して検知情報を受信する。
【０１１４】
このような構成により、多数の第１のセンサ１２１を容易に設置することができる。
【０１１５】
また、本発明の実施の形態に係る管理装置１０１では、受信部１１の受信する検知情報は、第１のセンサ１２１の検知結果が所定条件を満たす場合に第１のセンサ１２１から送信される。
【０１１６】
このような構成により、第１のセンサ１２１から管理装置１０１へ送信される情報の量を減らすことができる。また、第１のセンサ１２１から管理装置１０１へ送信される情報の量を減らすことができるため、第１のセンサ１２１と管理装置１０１との間で無線通信が行われる場合に、このような構成が特に有効である。
【０１１７】
また、本発明の実施の形態に係る管理装置１０１では、制御部１２は、受信部１１により受信された検知情報に基づいて、他の機器の動作をさらに制御することにより、第２のセンサ１２２の検知範囲を変更する。
【０１１８】
このような構成により、他の機器を駆動して第２のセンサ１２２の検知範囲を広げるなど、第１のセンサ１２１の検知結果に応じた適切な範囲を第２のセンサ１２２の検知範囲に設定し、監視対象エリアのより詳細な状況を把握することができる。
【０１１９】
また、本発明の実施の形態に係る管理システム２０１では、第２のセンサ１２２はカメラである。
【０１２０】
このような構成により、監視対象エリアの詳細な状況を視覚的に把握することができる。
【０１２１】
なお、本発明の実施の形態に係る管理装置の機能の一部または全部が、クラウドコンピューティングによって提供されてもよい。すなわち、本発明の実施の形態に係る管理装置が、複数のクラウドサーバ等によって構成されてもよい。
【０１２２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１２３】
以上の説明は、以下に付記する特徴を含む。
【０１２４】
［付記１］
第１のセンサによる検知結果を示す検知情報を取得する取得部と、
前記取得部により取得された前記検知情報に基づいて、第２のセンサの検知範囲を変更可能な駆動部を制御することにより前記検知範囲を変更する制御部とを備え、
前記第１のセンサは、温度センサ、ドア開閉センサまたは煙センサであり、
前記第２のセンサは、前記駆動部であるモータを内蔵したＰＴＺカメラであり、
前記駆動部は、前記ＰＴＺカメラの撮影方向および画角を変更することにより前記検知範囲を変更する、管理装置。
【符号の説明】
【０１２５】
１０  駆動部
１１  受信部（取得部）
１２  制御部
１３  記憶部
１０１  管理装置
１０２  受信機
１２１  第１のセンサ
１２２  第２のセンサ
１３１  ネットワーク
２０１  管理システム
【図１】
2018026621.tif 000003
【図２】
2018026621.tif 000004
【図３】
2018026621.tif 000005